(57)【要約】本発明は、電気的な差込みコネクタを備えた差込み装置から出発する。差込みコネクタの内部では、複数のコンタクト室に平形コネクタスリーブが配置されており、これらの平形コネクタスリーブは、対応コネクタと電気的に接続される。  平形コネクタスリーブを、発生する高い振動負荷又はその他の力により起こり得る破損から保護するためには、平形コネクタスリーブ（６）のコンタクト部材（１６）の領域にばねケージ（１７）が配置されており、このばねケージ（１７）は、例えばエンボス加工部等の形状接続的な結合部の他に、平形コネクタスリーブ（６）のその他の部分との摩擦接続的な結合部を有している。この摩擦接続的な結合部は、特にレーザ溶接ポイントの溶接結合部（１５）によって実現されている。
2005528767.tif 000002
【特許請求の範囲】
【請求項１】
少なくとも１列で互いに整合され且つ平行に配置された複数のコンタクト室（５）を有する、絶縁材から成るコンタクト支持体（４）を備えた電気的な差込みコネクタであって、前記コンタクト室内に各１つの平形コネクタスリーブ（６）が配置されており、該平形コネクタスリーブが、電気的な導線の絶縁被覆の除去された端部用の固定区分（７）と、中央区分（８）と、コンタクト部材（１６）を備えたコンタクト区分（９）と、前記固定区分と中央区分との間に位置するウエスト区分（１０）とを有している形式のものにおいて、
平形コネクタスリーブ（６）の、対応コネクタに面した側にばねケージ（１７）が配置されており、該ばねケージがコンタクト部材（１６）の一部を覆って延在し且つ該コンタクト部材に接触しており、コンタクト部材（１６）とばねケージ（１７）とが、形状接続的な結合部の他に、少なくとも１つの摩擦接続的な結合部を溶接結合部（１５）の形で有していることを特徴とする、電気的な差込みコネクタ。
【請求項２】
ばねケージ（１７）がコンタクト区分（９）の領域内に配置されている、請求項１記載の電気的な差込みコネクタ。
【請求項３】
ばねケージ（１７）が少なくとも固定区分（８）の領域内に配置されている、請求項１又は２記載の電気的な差込みコネクタ。
【請求項４】
溶接結合部（１５）がレーザ溶接ポイントによって実現可能である、請求項１から３までのいずれか１項記載の電気的な差込みコネクタ。
【請求項５】
溶接結合部（１５）が、中央区分（８）からウエスト区分（１０）への移行部の領域内に直接に配置されている、請求項１から４までのいずれか１項記載の電気的な差込みコネクタ。
【発明の詳細な説明】
【技術分野】
【０００１】
背景技術
本発明は、少なくとも１列で互いに整合され且つ平行に配置された複数のコンタクト室を有する、絶縁材から成るコンタクト支持体を備えた電気的な差込みコネクタを有する差込み装置から出発する。前記コンタクト室には各１つの平形コネクタスリーブが配置されており、この平形コネクタスリーブは、電気的な導線の絶縁被覆の除去された端部用の固定区分と、中央区分と、コンタクト部材を備えたコンタクト区分と、前記固定区分と中央区分との間に位置するウエスト区分とを有している。
【０００２】
このような形式の差込みコネクタは多方面において公知であり、コンタクト支持体と、平行に列状で配置された複数のコンタクト室とを有しており、これらのコンタクト室には、それぞれいわゆる平形コネクタスリーブが配置されている。これらの平形コネクタスリーブは複数の機能区分、つまり、絶縁被覆の除去されたケーブル又は電気的な導線が、いわゆるクリンプによって取り付けられて平形コネクタスリーブと電気的に接続可能にするための固定区分と、中央区分と、コンタクト区分とを有しており、この場合、コンタクト区分は、対応コネクタに配置されたピンを収容するために設けられているので、差込みコネクタと対応コネクタの間に電気的な接続を生ぜしめることができる。
【０００３】
平形コネクタスリーブ自体は、差込みコネクタ内部のコンタクト室内に、不動に保持若しくは位置固定されているように配置されている。従来技術に基づいて、ウエスト区分の領域で係止を生ぜしめることにより、コンタクト室内部の平形コネクタスリーブの位置固定が生ぜしめられるということが公知である。この場合、平形コネクタスリーブは、コンタクト室壁に対して極めて小さな距離を有している。
【０００４】
コンタクト室内で平形コネクタスリーブを不動に位置固定するためには、別の装置も設けられている。例えば、ドイツ連邦共和国特許第３７２５６８８号明細書に基づいて、平形コネクタスリーブをコンタクト室内でウエスト状にくびれさせて緊締する係止スライダが公知である。
【０００５】
前記係止は、コンタクト区分において差込みコネクタの差込過程の最中に対応コネクタに生じる力を直接に吸収若しくは導出するという課題を引き受けるので、固定区分若しくはウエスト区分に対して力はほとんど作用しない。コネクタ若しくは対応コネクタの挿入中に発生する振動負荷の分離は、コンタクト部材の内部で弾性的な形状に基づいて、特に中央区分の適当な形状に基づいて実施される。
【０００６】
従来技術の欠点
従来公知の位置固定若しくは係止の欠点は、特にばね部材とコンタクト部材との間で、特に緊締結合が完全に実施されない場合又は結合がゆるい場合に、例えば振動運動によって惹起され得る許容不能に大きな力が発生し、この力が個々の部材、特にばね部材とコンタクト部材、また中央区分との間の結合をも著しく激しく負荷し、これにより、これらの部材の機能が保証されていないという点にある。
【０００７】
別の欠点は、平形コネクタスリーブに設けられたばね部材が、力の発生時に、２つの構成部材間に設けられた形状接続的な結合部を解離するという点にある。このこともやはり、コンタクト部材の弾性ゾーンを過度に伸長させるので、特に激しい運動はコンタクトポイントを損傷してしまう。
【０００８】
本発明の課題
本発明の課題は、コンタクト室内部において、平形コネクタスリーブの対応コネクタとの、振動運動に対して保護された簡単な接続を提供することである。
【０００９】
課題の解決
この課題を解決するために本発明では、平形コネクタスリーブの対応コネクタに面した側にばねケージが配置されており、このばねケージはコンタクト部材の一部を覆って延在し且つこのコンタクト部材に接触しており、コンタクト部材とばねケージとが、形状接続的な結合部の他に、少なくとも１つの摩擦接続的な結合部を溶接結合部の形で有しているようにした。
【００１０】
発明の利点
本発明では、従来技術に基づき公知の平形コネクタスリーブの構成に、いわゆるばねケージがコンタクト部材の領域と中央区分の領域とに被せ嵌められている。前記ばねケージは、有利には付加的に曲げられた打抜き部材である。適当な嵌合によってばねケージが被せ嵌められて、いわゆるエンボス加工部によって平形コネクタスリーブに保持される。付加的な曲げ過程に基づいて、ばねケージは形状接続式で平形コネクタスリーブ部分と結合されている。
【００１１】
有利には、ばねケージは専ら平形コネクタスリーブのコンタクト領域内で延在している。更に、ばねケージは平形コネクタスリーブのウエスト区分まで延びているということも考えられる。ばねケージ自体は、付加的に外向きの噛み装置を有している。この噛み装置は、ばねケージを差込みコネクタのコンタクト室内で不動に噛み合わせることができるようにするために役立つ。
【００１２】
被せ嵌め過程の間に生じる力又は特にコネクタ若しくは対応コネクタの振動運動の際に生じる力をも補償するためには、ばねケージを形状接続的に結合する他に、説明したように付加的に摩擦接続式で結合する。この摩擦接続式の結合部は、例えばばねケージと平形コネクタスリーブの残りの部分との間を溶接結合することによって得られる。
【００１３】
この結合は、有利にはレーザ溶接ポイントによって生ぜしめられる。
【００１４】
有利にはこのレーザ溶接ポイントは、発生する最大の力の領域内に配置されているように配置されている。これは、ばねケージが終わり且つ平形コネクタスリーブがウエスト状の構成を有している領域である。
【００１５】
更に、有利には溶接ポイントを製作するためにレーザを使用することに基づいて、例えば鋼及び銅等の種々様々な材料を使用することができるということが判っている。
【００１６】
ばねケージと相俟った平形コネクタスリーブの本発明に基づいた前記構成により、差込み接続部の破損が防止されるということが達成される。
【００１７】
実施例の説明
以下に、本発明の実施例を図面につき詳しく説明する。
【００１８】
図１に示したコネクタ１は、コネクタケーシング２と、このコネクタケーシング２に結合されたカバー３とを有している。コネクタケーシング２はコンタクト支持体４を有しており、このコンタクト支持体４は、互いに平行に相並んで配置された複数のコンタクト室５に分割されている。これらのコンタクト室５内には、ワイヤハーネス（詳しくは図示せず）に接続された平形コネクタスリーブ６が設けられている。
【００１９】
図２には、前記のようなコンタクト室５に配置可能な平形コネクタスリーブ６が示されている。図３には、このような平形コネクタスリーブ６がばねケージ１７と一緒に断面されて示されている。
【００２０】
平形コネクタスリーブ６は複数の領域、つまり、固定区分７、中央区分８及びコンタクト部材１６を備えたコンタクト区分９に分割されている。付加的に、固定区分７と中央区分８との間には、ウエスト区分１０が平形コネクタスリーブに設けられている。
【００２１】
有利にはメアンダ（蛇行）状又は波状に構成された平形コネクタスリーブ６は、固定区分７において、絶縁被覆の除去されたケーブル又は電気的な導線が、固定区分７の構成部材と緊締部材１１との間でクリンプされるようになっている。ウエスト区分１０の領域では、平形コネクタスリーブはウエスト状にくびれて延びており、中央区分８は固定区分７と同じ幅で構成されている。この場合、中央区分８はコンタクト区分９に移行しており、このコンタクト区分９は、平形ばねアームコンタクト部材が対応コネクタ１９のピン１８を収容することができるように構成されており、これにより、コネクタ１と対応コネクタ１９との間に電気的なコンタクトが形成されている。
【００２２】
打抜き形状で製作されたばねケージ１７は、組込み状態で平形コネクタスリーブ６の少なくともコンタクト区分９に周面係合し且つ規定された箇所（エンボス加工部）で平形コネクタスリーブと形状接続的に結合するように構成されている。このことは、コンタクト区分９のコンタクト部材１６にばねケージ１７を組み込むために、ばねケージ１７は対応するエンボス加工部が重なり合って結合するまで簡単に被せ嵌められるということを意味している。
【００２３】
本発明では、前記の形状接続的な結合部に加えて付加的に摩擦接続的な結合部も製作可能であり、この摩擦接続的な結合部では、特にコンタクト部材１６の領域のばねケージ１７の平らな面にレーザ溶接ポイント（溶接結合部１５）が、ばねケージ１７と平形コネクタスリーブ６の残りの部分との間に摩擦接続的な結合部が製作されているように設けられる。
【００２４】
これにより、平形コネクタスリーブに作用する、発生する振動負荷が、前記の摩擦接続的な結合部によってばねケージ１７に対して直接に作用し、これにより、平形コネクタスリーブ６の残りの部分を、起こり得る破損から保護することが可能である。
【図面の簡単な説明】
【００２５】
【図１】差込み接続部の多極式の電気的な差込みコネクタを部分的に縦断して示した図である。
【００２６】
【図２】平形コネクタスリーブを、ばねケージと一緒に示した斜視図である。
【００２７】
【図３】図２に示した平形コネクタスリーブを部分的に断面して示した側面図である。
【符号の説明】
【００２８】
１  コネクタ、  ２  コネクタケーシング、  ３  カバー、  ４  コンタクト支持体、  ５  コンタクト室、  ６  平形コネクタスリーブ、  ７  固定区分、  ８  中央区分、  ９  コンタクト区分、  １０  ウエスト区分、  １１  緊締部材、  １５  溶接結合部、  １６  コンタクト部材、  １７  ばねケージ、  １８  ピン、  １９  対応コンタクト
【図１】
2005528767.tif 000003
【図２】
2005528767.tif 000004
【図３】
2005528767.tif 000005
【国際調査報告】
2005528767.tif 000006
2005528767.tif 000007
2005528767.tif 000008
2005528767.tif 000009
2005528767.tif 000010
2005528767.tif 000011